(57)【要約】【課題】バリ取り工程において、表皮材被覆後に外観不良が発生しないようにバリ除去が行えるシート用パッドを製造可能な成形金型並びに該成形金型を使用したシート用パッドの製造方法を提供する。【解決手段】開閉可能に構成され、閉鎖状態で所定形状の成形キャビティー３２を形成する第１型（上型２２）と第２型（下型２４）を備え、第１型と第２型のパーティング部２９の成形キャビティー３２側の少なくとも一部に余肉部形成用の凹部２６を備えているシート用パッド成形用金型２０とする。シート用パッド１０の製造方法は、該シート用パッド成形用金型２０を使用する。【選択図】図２
2006198818.tif 000002
【特許請求の範囲】
【請求項１】
開閉可能に構成され、閉鎖状態で成形キャビティーを形成する第１型と第２型を備え、前記第１型と第２型のパーティング部の前記成形キャビティー側の少なくとも一部に余肉部形成用の凹部を備えていることを特徴とするシート用パッド成形用金型。
【請求項２】
開閉可能に構成され、閉鎖状態で成形キャビティーを形成する第１型と第２型を備えた成形金型の前記成形キャビティーに成形金型を開いた状態又は金型を閉じた状態でポリウレタンフォームを形成する発泡原液組成物を供給し、発泡硬化させてシート用パッドとする発泡工程、前記成形金型を開いて前記シート用パッドを取り出す脱型工程、及び前記成形金型のパーティング部に生じるはみ出しを除去するバリ取り工程を有し、
前記成形金型は前記第１型と第２型のパーティング部の前記成形キャビティー側の少なくとも一部に余肉部形成用の凹部を備えており、
前記バリ取り工程は、前記凹部に形成された余肉部を除去することを特徴とするシート用パッドの製造方法。
【発明の詳細な説明】
【技術分野】
【０００１】
本発明は、車両、特に自動車のシートに使用するシート用クッションパッド（シート用パッド）の製造に使用する成形金型及びシート用パッドの製造方法に関するものである。
【背景技術】
【０００２】
シート用パッドは、ヒンジにより開閉可能に構成された上型と下型とからなる成形金型を使用し、一般的には金型を開いた状態で下型に軟質ポリウレタンフォームを形成する発泡原液組成物を供給して金型を閉鎖し、上型と下型により形成される成形キャビティー内で発泡原液組成物を発泡硬化させてシート用パッドとすることは周知である。係るシート用パッド成形用の成形金型は、上型と下型とのパーティング部は、成形キャビティー側からすり合わせ状に形成されていることが公知である（特許文献１等）。
【特許文献１】特開２００１−４７４５０号公報（図１〜図７）
【発明の開示】
【発明が解決しようとする課題】
【０００３】
特許文献１などに開示された成形金型を使用した場合、すり合わせ状に形成されたパーティング部に発泡原液組成物が滲み出していわゆるバリ（はみ出し）を形成するため、通常、シート用パッドの製造においては、バリ取り工程が設けられる。
【０００４】
しかし、係るバリは発泡したポリウレタンではなく、ポリウレタンフォームを構成する樹脂で形成されているためにフォームと比較して硬いものであり、従来のバリ取り工程では完全に除去することは難しく、１ｍｍ前後のバリが残る場合がある。そのためにシート用パッドに表皮材を被覆してシートクッションとした場合、表皮材の種類によっては残存するバリ部分に筋状の凸条が発生し、外観不良となるという問題を有する。
【０００５】
本発明は、バリ取り工程において、表皮材被覆後に外観不良が発生しないようにバリ除去が行えるシート用パッドを製造可能な成形金型並びに該成形金型を使用したシート用パッドの製造方法を提供することを目的とする。
【課題を解決するための手段】
【０００６】
本発明のシート用パッド成形用金型は、開閉可能に構成され、閉鎖状態で成形キャビティーを形成する第１型と第２型を備え、前記第１型と第２型のパーティング部の前記成形キャビティー側の少なくとも一部に余肉部形成用の凹部を備えていることを特徴とする。
【０００７】
従来のすり合わせ状パーティング部を有する成形金型を使用すると、発泡原液組成物により形成されるはみ出しはフォームと比較して硬い樹脂状となるが、上記構成の成形金型を使用することにより、はみ出し部が本体と同じ軟質ポリウレタンフォームとなるために、バリ取り工程において裁断除去が容易に行え、表皮材被覆後の外観不良の発生を防止できる。
【０００８】
本発明のシート用パッドの製造方法は、開閉可能に構成され、閉鎖状態で成形キャビティーを形成する第１型と第２型を備えた成形金型の前記成形キャビティーに成形金型を開いた状態又は金型を閉じた状態でポリウレタンフォームを形成する発泡原液組成物を供給し、発泡硬化させてシート用パッドとする発泡工程、前記成形金型を開いて前記シート用パッドを取り出す脱型工程、及び前記成形金型のパーティング部に生じるはみ出しを除去するバリ取り工程を有し、
前記成形金型は前記第１型と第２型のパーティング部の前記成形キャビティー側の少なくとも一部に余肉部形成用の凹部を備えており、
前記バリ取り工程は、前記凹部に形成された余肉部を除去することを特徴とする。
【０００９】
係る構成の製造方法によれば、はみ出し部が本体と同じ軟質ポリウレタンフォームとなるために、バリ取り工程において裁断除去が容易に行え、表皮材被覆後の外観不良の発生を防止できる。
【発明を実施するための最良の形態】
【００１０】
図１は本発明の成形金型を使用して製造するに適したシート用パッドを例示した斜視図である。シート用パッドは座席の背もたれ部を構成するものであり、背あたり部１４とその両側に形成されたサイド部１２、及び別途作製して装着するヘッドレスト１８とから構成されており、サイド部１６の端部が成形金型のパーティング部の位置となる。
【００１１】
図２には、シート用パッド１０の背あたり部１４と両方のサイド部１６である図１のＸ−Ｘ断面部分を成形する成形金型の部位の断面図を示した。成形金型２０は第１型である上型２２と第２型である下型２４とからなり、上型２２と下型２４とはヒンジなどにより開閉自在に構成され、上下金型を閉じることにより成形キャビティー３２が形成される。上型２２には、基布３０が装着されている。この例では、下型２４は主として人に接する表面側を成形し、上型２２は主として裏面側を成形するように構成されており、シート用パッドの周縁部近傍が上型２２と下型２４のパーティング部２９となる。成形金型２０は、第１型、第２型以外にも入れ子等の他の金型構成部材を備えていてもよい。
【００１２】
一般的には金型を開いた状態で下型２４の凹部に発泡原液組成物を供給し、上型２２を閉じて成形キャビティー３２を形成し、発泡原液組成物を発泡硬化させてシート用パッドを成形するが、成形金型を閉じた状態で金型に設けられた注入孔から発泡原液組成物を注入する構成であってもよい。発泡原液組成物の発泡硬化により、基布がシート用パッドに一体化される。
【００１３】
成形金型２０のパーティング部２９の成形キャビティー３２側には余肉部形成用の凹部２６が形成されており、その外側にはすり合わせ部２８が設けられている。即ち、余肉部形成用の凹部２６とその外側のすり合わせ部２８とで成形金型２０のパーティング部２９が形成される。余肉部形成用の凹部２６は、パーティング部２９全体に設けてもよいが、部分的に設けてもよい。部分的に凹部２６を形成する場合、バリ取り工程後、表皮材を被覆した場合に外観不良が発生しない部位、例えば座面部側等には凹部を形成する必要はない。図２においては、上型２２、下型２４の双方に段差を形成して金型閉鎖時に凹部２６を形成する例を示したが、上型２２、下型２４のいずれかに段差を形成してもよい。
【００１４】
図３は、図２に示した本発明の成形金型２０を使用して成形したシート用パッドの部分断面図である。軟質ポリウレタンフォームにて形成されたシート用パッド３４には基布３０が一体化されており、余肉部形成用凹部においては、余肉部３６が、その外側のすり合わせ部においてははみ出し（バリ）３８が、それぞれ形成される。余肉部３６はシート用パッド３４と同じ軟質ポリウレタンフォームにより形成されているので、バリ３６と比較して裁断除去が容易であり、Ｃ部において裁断除去することにより（バリ取り工程）、表皮材を被覆した場合に外観不良が発生しないシート用パッドが得られる。
【００１５】
図３においては、断面形状が矩形の余肉部形成用の凹部２６を示したが、裁断除去が容易で表皮材を被覆しても外観不良が発生しない形状であればこれに限定されるものではない。図４には余肉部形成用の凹部２６の別の断面形状を例示した。（ａ）は半円状、（ｂ）は台形、（ｃ）はくびれのある矩形である。
【００１６】
余肉部は、厚さ（ｔ）が裁断部にて５ｍｍ以上であり、高さ（ｈ）が５ｍｍ以上であることが好ましい。余肉部の厚さが薄すぎるとはみ出し部が樹脂状となりやすく、高さが低すぎると裁断除去加工をしにくくなる。余肉部の厚さを５ｍｍ以上、高さを５ｍｍ以上とすることによって、より確実にバリ取り工程における裁断除去が容易になり、表皮材被覆後の外観不良の発生を防止できる。
【図面の簡単な説明】
【００１７】
【図１】本発明の成形金型を使用して製造するに適したシート用パッドを例示した斜視図
【図２】シート用パッドの図１のＸ−Ｘ断面部分を成形する成形金型の部位の断面図
【図３】本発明の成形金型を使用して成形したシート用パッドの部分断面図
【図４】余肉部形成用の凹部の別の断面形状を例示した図
【符号の説明】
【００１８】
１０    シート用パッド
２０    成形用金型
２２    第１型（上型）
２４    第２型（下型）
２６    余肉部形成用凹部
２９    パーティング部
３２    成形キャビティー
【図１】
2006198818.tif 000003
【図２】
2006198818.tif 000004
【図３】
2006198818.tif 000005
【図４】
2006198818.tif 000006